(57)【要約】【課題】光ファイバ接続部の幅寸法と高さ寸法を小型化でき、かつ光ファイバの接続作業を容易に行える、光通信装置９００を提供する。【解決手段】光通信装置９００はホルダ９１０と接続する光ファイバと同数の光アダプタ１７０から構成され、ホルダ９１０は光アダプタ１７０と同数の差込み孔を備え、ホルダ９１０の差込み孔の幅寸法（ｃ’）は光アダプタ１７０の幅寸法（ｃ）より大きくし、また奥行き方向にもガタを設け、光アダプタ１７０を保持しながら水平面内で可動にする。【選択図】図７Ａ
2008292821.tif 000002
【特許請求の範囲】
【請求項１】
複数の光ファイバを接続する光通信装置において、
光ファイバと接続する第１の光アダプタと第２の光アダプタと、前記第１の光アダプタと前記第２の光アダプタとを隣接して収容するホルダとからなり、
前記第２の光アダプタに対して光ファイバを挿抜するとき、前記第１の光アダプタは前記ホルダ内で反時計方向に回動し、
前記第１の光アダプタに対して光ファイバを挿抜するとき、前記第２の光アダプタは前記ホルダ内で時計方向に回動することを特徴とする光通信装置。
【請求項２】
請求項１に記載の光通信装置であって、
前記第１の光アダプタと前記第２の光アダプタとは、前記ホルダに対し、光ファイバとの接続方向と、光ファイバとの接続方向に対する垂直方向とに可動するように収容されていることを特徴とする光通信装置。
【請求項３】
請求項１または請求項２に記載の光通信装置であって、
前記第１の光アダプタまたは前記第２の光アダプタに接続された光ファイバの移動範囲を規制するクランプを備えたことを特徴とする光通信装置。
【発明の詳細な説明】
【技術分野】
【０００１】
本発明は、光通信装置に係り、特に光ファイバ接続部を小型化した光通信装置に関する。
【背景技術】
【０００２】
ＦＴＴＨ（Fiber To The Home）による光データ通信と映像提供が進行し、ユーザ宅内に光終端装置（ＯＮＵ：Optical Network Unit）が設置されるようになっている。また、光終端装置の小型化が要求されている。
【０００３】
光終端装置が使用される一例として、特許文献１の図２が挙げられる。屋外から宅内に引き込まれてきた光ファイバは、光終端装置のＷＤＭフィルタに接続される。このＷＤＭフィルタは、通信用下り信号と映像信号とが多重された光信号から、λ＝１.４９μｍ（マイクロメータ）の光信号（通信用下り信号）を波長分離して通信用光端末に出力する。またＷＤＭフィルタは、λ＝１.５５μｍの光信号（映像信号）を波長分離して光受信機に出力する。通信用光端末は、λ＝１.３１μｍの光信号（通信用上り信号）を出力し、ＷＤＭフィルタを波長多重に用いて、光ファイバを介して局装置へ伝送する。
【０００４】
光終端装置は、ＷＤＭフィルタと光受信機とを同一筐体内に設置することが一般的である。このため、光終端装置には、局装置および通信用光端末と接続する２本の光ファイバが収容される。
【０００５】
ＦＴＴＨシステムにおいて、光終端装置に接続する光ファイバは、一般にＪＩＳ Ｃ５９７３で規定される光コネクタが使用される。光コネクタに勘合する光アダプタを形状・寸法、装置に固定するための取付穴についてもＪＩＳ Ｃ５９７３で規定されており、この取付穴を用いて光アダプタを装置にねじ止め固定するのが一般的である。
【０００６】
光終端装置に２本の光ファイバを接続する場合、特許文献２の図２３に示されるように、２個以上の光アダプタは、まとめて固定設置されるのが一般的である。また、各光アダプタの周囲には、光コネクタを挿抜するための工具や指を入れるスペースが必要である。
【０００７】
【特許文献１】特開２００６−２６２３５３号公報
【特許文献２】特開２００１−１１９１７７号公報
【発明の開示】
【発明が解決しようとする課題】
【０００８】
光終端装置に２本の光ファイバを接続する場合、２個の光コネクタを独立して挿抜可能であることが必要である。そのため、２個の光アダプタの周囲に光コネクタを挿抜するための工具や指を入れるスペースを確保しながら、筐体内に固定設置しなければならない。このような作業性を考慮すると、光ファイバ接続領域全体の寸法が大きくなる。
【０００９】
本発明が解決しようとする課題は、光コネクタを挿抜するという作業性を確保しながら、装置の寸法を小さくすることにある。しかし、光ファイバを接続する光アダプタの部品寸法と光コネクタを指で掴むための空間寸法を削減できない。
【００１０】
本発明の目的は、筐体の寸法を小型化でき、かつ光コネクタの挿抜作業をしやすい光通信装置を提供することにある。
【課題を解決するための手段】
【００１１】
上記課題は、光ファイバと接続する第１の光アダプタと第２の光アダプタと、第１の光アダプタと第２の光アダプタとを隣接して収容するホルダとからなり、第２の光アダプタに対して光ファイバを挿抜するとき、第１の光アダプタはホルダ内で反時計方向に回動し、第１の光アダプタに対して光ファイバを挿抜するとき、第２の光アダプタはホルダ内で時計方向に回動する光通信装置により、解決できる。
【発明の効果】
【００１２】
本発明によれば、光通信装置を小型化することができる。
【発明を実施するための最良の形態】
【００１３】
以下、本発明の実施の形態について、実施例を用い図面を参照しながら説明する。なお、実質同一部位には同じ参照番号を振り、説明は繰り返さない。また、光終端装置の実施例を説明するが、これに限られない。
【００１４】
図１を参照して、光アクセスシステムの構成を説明する。ここで、図１は光アクセスシステムのブロック図である。図１において、光アクセスシステム２０００は、局に置かれた光映像局装置３００とデータ用局装置４００とＷＤＭ（波長多重分離装置）５００と、幹線光ファイバ１３０と、光スプリッタ６００と、最大３２本の分岐光ファイバ１１０と、加入者宅に置かれた光終端装置９００とから構成される。
【００１５】
光映像局装置３００には、ＴＡ（Transmitter Amplifier）３１０を介して、映像情報を送出するＨＥ（Head End）３６０が接続される。光終端装置９００は、ＷＤＭフィルタ（波長多重分離装置）９０１と光映像端末装置９０２と両者を接続する光ファイバ１４０から構成される。ＷＤＭフィルタ９０１には光ファイバ１１０と光ファイバ１２０とが接続される。光ファイバ１２０の他端にはデータ用端末装置７１０が接続される。データ用端末装置７１０には、ＰＣ７２０が接続され、データ用局装置４００を介して双方向のデータ通信を行う。光映像端末装置９０２には、ＳＴＢ（Set Top Box）８１０を介してＴＶ８２０が接続される。
【００１６】
光映像装置３００が送出した光映像信号は、ＷＤＭ５００で下りデータ光信号と共に幹線光ファイバ１３０に波長多重されて送信される。波長多重された光信号は、光スプリッタ６００において最大で３２分割され、光ファイバ１１０を介して、光終端装置９００に送出される。ＷＤＭフィルタ９０１は、下りデータ光信号と光映像信号とを分離して、データ用端末装置７１０と光映像端末装置９０２に送出する。データ用端末装置７１０は、下りデータ光信号を電気信号に変換して、ＰＣ７２０に送信する。光映像端末装置９０２は、光映像信号を電気信号に変換し、ＳＴＢ８１０に送信する。ＳＴＢ８１０で選択された映像信号に基づいて、ＴＶ８２０で映像を表示し、音声を送出する。
【００１７】
ＰＣ７２０からの上りデータ信号は、データ用端末装置７１０でデータ光信号に変換され、データ用局装置４００からの指示に基づくタイミングで、ＷＤＭフィルタ９０１を介して光ファイバ１１０に送信される。光スプリッタ６００は、各光終端装置９００からの上りデータ光信号を多重して、幹線ファイバ１３０に送出する。ＷＤＭ５００は、時分割多重された上りデータ光信号をデータ用局装置４００に送出する。
【００１８】
図２を参照して、光終端装置の主要部分を説明する。ここで図２は光終端装置の内部の正面図である。光終端装置９００は、壁等にベース９９０を固定設置される。屋外より引き込まれる光ファイバ１１０は、ベース９９０に設けられた導入孔９２０より光終端装置９００の内部に導入される。光ファイバ１２０は、導入孔９２０から引き出され、データ用端末装置７１０に接続される。
【００１９】
光ファイバ１１０、１２０は、光コネクタ１６０を介して、光アダプタ１７０に接続される。二つの光アダプタ１７０は、ホルダ９１０により保持される。なお、図２に示す光終端装置９００は、図示しないＷＤＭフィルタを含む半面であり、他の半面には光映像端末装置が配置されている。また、楕円部分は、あまった光ファイバを収容する余長処理部９４０である。
【００２０】
図３を参照して、ホルダの構造を説明する。ここで、図３はホルダの３面図である。図３において、ホルダ９１０の正面図の右に右側面図、上に平面図を記載している。なお、図２に示すホルダ９１０は、図３の平面図に図示されている。ホルダ９１０は、箱状に形成されたベース部材９１１と仕切り９１２とにより形成された光アダプタ１７０を保持する空間部１、空間部２を具備する。また、ホルダ９１０は、ベース部材９１１の内部に光アダプタを保持するための保持用突起部９１３が形成されている。寸法ａ’は、保持用突起９１３と仕切り９１２で囲まれた空間部１、空間部２の縦寸法であり、寸法ｃ’は空間部１、空間部２の横寸法である。ホルダ平面に形成された空間部３、空間部４は、光アダプタ１７０が具備するフランジ１７２を収納する。
【００２１】
図４を参照して、ＪＩＳ Ｃ５９７３で規定される光アダプタの構造を説明する。ここで、図４は光アダプタの正面図と右側面図である。図４の光アダプタ１７０は、ＪＩＳ Ｃ５９７３で規定される光コネクタを接続する光アダプタである。光アダプタ１７０は、左右対称に形成されたハウジング１７１と、ハウジング１７１の上下に設けた板バネ１７３と、ハウジング１７１の奥行き方向（右側面図の左右方向）中央の上下２箇所のフランジ１７２とから構成されている。なお、フランジ１７２には、光アダプタを固定するための取付穴１７４が設けられている。ここで、フランジ１７２−１、１７２−２の先端間の距離をｄとする。ハウジング１７１の正面図での外形寸法をａ×ｃとする。板バネ１７３が開いた状態での先端間距離をｂとする。
【００２２】
図５を参照して、光アダプタがホルダに保持された状態を説明する。ここで、図５は光終端装置の正面図および部分断面図である。なお、ここでは光終端装置９００は、光アダプタ１７０に光コネクタを挿入する前の状態である。図５を用いて、光アダプタ１７０−１、１７０−２が、ホルダ９１０に設けられた空間部１、２に差し込まれたる様子について説明する。紙面内上方から光アダプタ１７０−１、１７０−２がホルダ９１０に設けられた空間部１、２に差し込まれる際、光アダプタ１７０のハウジング１７１に設けた板バネ１７３は、弾力構造であるため、空間部１、２の縦寸法ａ’に応じて一旦閉じる。板バネ１７３がホルダ９１０の空間部１、２内において保持用突起９１３を通過し、閉じていた板バネ１７３が開いて元の位置に戻ることで、板バネ１７３が保持用突起９１３に引っ掛かり光アダプタ１７０−１、１７０−２の後退を防止する。また、フランジ１７２が保持用突起９１３の後方に留まることで、光アダプタ１７０−１、１７０−２の前進を防止する。つまり、板バネ１７３とフランジ１７２との間に、ホルダ９１０に用意した保持用突起９１３を挟み込む構造となり、光アダプタ１７０−１、１７０−２はホルダ９１０に保持される。
【００２３】
光アダプタ１７０−１、１７０−２が、ホルダ９１０に設けられた空間部１、２に差し込まれる際、フランジ１７２は空間部３、４に収容される。これにより、ホルダ９１０の高さ寸法ｄ’を光アダプタ１７０−１、１７０−２の高さ寸法ｄより小さくすることが可能となり、装置の小型化（断面図の左右方向の短縮）図っている。
【００２４】
次に、光アダプタ１７０−１、１７０−２が可動するために設けた、ホルダ９１０の空間部１の構造について図３ないし図５を用いて説明する。ホルダに開ける空間部１、２の縦寸法ａ’は、板バネ１７３とフランジ１７２を除いた光アダプタ１７０−１、１７０−２の縦寸法ａよりも大きく、開いた状態の板バネを含む光アダプタ１７０−１、１７０−２の縦寸法ｂよりも小さいことが必要条件となる。この空間部１の縦寸法がｂに近いほど光アダプタ１７０−１、１７０−２がＺ軸方向で可動する寸法が大きくなり、ａに近いほどＺ軸方向で可動する寸法が小さくなる。光アダプタ１７０−１、１７０−２がＺ軸方向で可動する寸法、すなわち、光アダプタ１７０−１、１７０−２のがたつき寸法が小さくなるように、ホルダ９１０の空間部寸法は、ａよりもわずかに大きくする。
【００２５】
また、光アダプタ１７０−１がＸ軸方向に可動するよう、ホルダ９１０に設ける空間部１の横寸法ｃ’は、光アダプタの部品外形横寸法ｃよりも大きな寸法とする。空間部寸法と光アダプタの部品外形横寸法の差（ｃ’−ｃ）が、光アダプタ１７０−１、１７０−２がＸ軸方向に可動する寸法となる。なお、図５の断面図から明らかなように、フランジ１７２と保持用突起９１３とを接触させたとき、板バネ１７３とフランジ１７２との間に空間がある。したがって、図３におけるＹ方向にも光アダプタ１７０は移動可能である。Ｘ方向、Ｙ方向とも可動であることは、ＸＹ面内で回転可能であることを意味する。
【００２６】
図５および図６を参照して、光ファイバのクランプを説明する。ここで、図６は図５の部分断面図である。図５において、光アダプタ１７０−１、１７０−２を可動、回動可能にしたことにより、（１）光アダプタ１７０−１、１７０−２からＷＤＭフィルタ９０１にのびる光ファイバ１１０、１２０が引っ張られる、（２）光ファイバ１１０、１２０の曲率半径が部品仕様を満足できなくなる、（３）光ファイバ１１０、１２０が浮き上がる等の影響を防止するため、ホルダ９１０と図示しないＷＤＭフィルタの間で光ファイバ１１０、１２０の通る部位にクランプ９３０−１、９３０−２を設けている。
【００２７】
図６において、クランプ９３０−１は、光ファイバ１１０の曲率半径が部品仕様を満足できなくなることを防止する。また、クランプ９３０−１上面の鉤部分により、光ファイバ１１０の浮き上がりを防止する。なお、クランプ９３０−２の機能も同様である。
【００２８】
図７を参照して、光コネクタを挿抜する動作について説明する。ここで、図７は隣接する光コネクタ実装状態での光コネクタの挿抜を説明する図である。まず、左側の光コネクタ１６０−２を挿抜する動作について、図７Ａを使用し説明する。光アダプタ１７０−２に接続されている状態から光ファイバ１２０を抜く場合、光コネクタ１６０−２を掴むために必要な空間部として、光コネクタ１６０−２の左側面と余長処理部９４０の間に作業空間部５、光コネクタ１６０−２の右側面と光コネクタ１６０−１の左側面の間に作業空間部６を確保するため、ホルダ９１０に設けた空間部寸法ｃ’の範囲内で光アダプタ１７０−１および光コネクタ１６０−１をＸＹ面内において反時計回りに回動させる。このとき、作業空間部５と６の横寸法は、ほぼ同等の８ｍｍとなる。このとき、光コネクタ１６０−１の右側面と光終端装置９００のベース９９０の内側の空間部７の横寸法は、４ｍｍとなる。作業空間部７の横寸法が作業空間部５、６と同様８ｍｍとなる場合、作業空間の横寸法の合計は２４ｍｍとなる。これに対し、図７Aの通り、作業空間部７を４ｍｍとしたため、光終端装置のX方向寸法は４ｍｍ削減される。
【００２９】
右側の光コネクタ１６０−１を挿抜する動作について、図７Ｂを使用し説明する。光アダプタ１７０−１に接続されている状態から光ファイバ１１０を抜く場合、光コネクタ１６０−１を掴むために必要な空間部として、光コネクタ１６０−１の右側面と光終端装置９００のベース９９０の内壁との間に作業空間部１０、光コネクタ１６０−１の左側面と光コネクタ１６０−２の右側面の間に作業空間部９を確保するため、ホルダ９１０に設けた空間部１内における寸法ｃ’の範囲内で、光アダプタ１７０−２および光コネクタ１６０−２をＸＹ面内において時計回りに回動させる。このとき、作業空間部９と１０の横寸法は、ほぼ同等の９ｍｍおよび８ｍｍとなる。このとき、光コネクタ１６０−２の左側面と余長処理部９４０の右側面との間にある空間部８の横寸法は、３ｍｍとなる。作業空間部８、９および１０についても、上記と同様に、光終端装置のX方向寸法は４ｍｍ削減される。
【００３０】
本実施例によれば、光アダプタをホルダに設けた空間内で可動とすることにより、光ファイバを挿抜する際に必要となる、光アダプタ周囲に工具や指を入れる空間を確保する。光ファイバを挿抜しない光アダプタについては作業空間が不要であるため、この空間を削減する。この削減可能な空間が、光ファイバ接続部の寸法の小型化につながり、装置全体の寸法小型化できる。また、光アダプタが可動することにより、光ファイバの挿抜に必要な空間を確保しているため、容易に作業を行うことができる。
【図面の簡単な説明】
【００３１】
【図１】光アクセスシステムのブロック図である。
【図２】光終端装置の内部の平面図である。
【図３】ホルダの３面図である。
【図４】光アダプタの正面図と右側面図である。
【図５】光終端装置の正面図およびＡ−Ａ部分断面図である。
【図６】図５のＢ−Ｂ部分断面図である。
【図７Ａ】右側光コネクタ実装状態での左側光コネクタの挿抜を説明する図である。
【図７Ｂ】左側光コネクタ実装状態での右側光コネクタの挿抜を説明する図である。
【符号の説明】
【００３２】
１１０…光ファイバ、１２０…光ファイバ、１３０…光ファイバ、１４０…光ファイバ、１６０…光コネクタ、１７０…光アダプタ、１７１…ハウジング、１７２…フランジ、１７３…板バネ、１７４…取付穴、１７５…キー溝、３００…光映像局装置、３１０…ＴＡ、３６０…ＨＥ、４００…データ用局装置、５００…ＷＤＭ、６００…光スプリッタ、７１０…データ用端末装置、７２０…ＰＣ、８１０…ＳＴＢ、８２０…ＴＶ、９００…光終端装置、９０１…ＷＤＭフィルタ、９１０…ホルダ、９０２…光映像端末装置、９１１…ベース部材、９１２…仕切り、９１３…保持用突起部、９２０…導入孔、９３０…クランプ、９４０…余長処理部、９９０…ベース、２０００…光アクセスシステム。
【図１】
2008292821.tif 000003
【図２】
2008292821.tif 000004
【図３】
2008292821.tif 000005
【図４】
2008292821.tif 000006
【図５】
2008292821.tif 000007
【図６】
2008292821.tif 000008
【図７Ａ】
2008292821.tif 000009
【図７Ｂ】
2008292821.tif 000010